(57)【要約】【課題】清潔な状態で生体情報測定装置をユーザーの身体に装着することが可能な生体情報測定装置用の装着体を提供する。【解決手段】ユーザーの身体（手首ＷＲ）に接触させて生体情報を測定する生体情報測定部としての窓部１３を有するケース部１０と、ケース部１０の一端および他端に各々接続された第１バンド２２および第２バンド２４を有し、ケース部１０を手首ＷＲに装着するバンド部２０と、を含む生体情報測定装置１をユーザーに装着するための装着体１５０であって、ユーザーとの接触面を含む第１面１５１ａ、および該第１面１５１ａの反対側の第２面１５１ｂを有する本体部１５１と、少なくとも第１面１５１ａに設けられた第１開口部１５２および第２開口部１５３と、を備え、第１開口部１５２と第２開口部１５３との距離が、窓部１３と第１開口部１５２との距離よりも大きいことを特徴とする生体情報測定装置１用の装着体１５０。【選択図】図９
2017104252.tif 000002
【特許請求の範囲】
【請求項１】
ユーザーの身体に接触させて生体情報を測定する生体情報測定部を有するケース部と、
前記ケース部の一端および他端に各々接続され、前記ケース部を前記ユーザーの身体に装着するバンド部と、
を含む生体情報測定装置を、前記バンド部の装着手段とは異なる手段によって前記ユーザーに装着するための生体情報測定装置用の装着体であって、
可撓性を有するとともに、前記ユーザーとの接触面を含む第１面、および該第１面の反対側の第２面を有する本体部と、
少なくとも前記第１面に設けられ、前記バンド部が挿入される第１開口部および第２開口部と、を備え、
前記第１開口部と前記第２開口部との距離が、前記生体情報測定部と前記第１開口部との距離よりも大きいことを特徴とする生体情報測定装置用の装着体。
【請求項２】
請求項１に記載の生体情報測定装置用の装着体において、
前記本体部の幅は、前記バンド部の幅より大きいことを特徴とする生体情報測定装置用の装着体。
【請求項３】
請求項１または２に記載の生体情報測定装置用の装着体において、
前記本体部は、前記ケース部の前記生体情報測定部側の反対側の面に沿った形状を有することを特徴とする生体情報測定装置用の装着体。
【請求項４】
請求項１〜３のいずれか一項に記載の生体情報測定装置用の装着体において、
前記バンド部の一方のバンドは、他方のバンドを保持するための遊革を備え、前記第１開口部および前記第２開口部のうち、前記遊革を備えた方のバンドに対応する一方の開口部が、他方の開口部よりも大きいことを特徴とする生体情報測定装置用の装着体。
【請求項５】
請求項１〜４のいずれか一項に記載の生体情報測定装置用の装着体において、
前記ユーザーに装着された装着状態の前記生体情報測定装置の外周よりも長いことを特徴とする生体情報測定装置用の装着体。
【請求項６】
請求項５に記載の生体情報測定装置用の装着体において、
前記装着体の長さをＡ、前記装着状態の前記生体情報測定装置の外周の長さをＢとしたとき、２Ｂ≦Ａ≦３Ｂの条件を満たすことを特徴とする生体情報測定装置用の装着体。
【請求項７】
請求項１〜６のいずれか一項に記載の生体情報測定装置用の装着体において、
少なくとも一端側に固定手段を有し、該固定手段と前記一端側よりも他端側寄りの領域とを接触させることにより固定することが可能であることを特徴とする生体情報測定装置用の装着体。
【請求項８】
請求項１〜４のいずれか一項に記載の生体情報測定装置用の装着体において、
環状であり、
前記第１面と前記第２面との間に、前記第１開口部または前記第２開口部から挿入された前記バンド部を収容可能な空間部が設けられていることを特徴とする生体情報測定装置用の装着体。
【請求項９】
請求項８に記載の生体情報測定装置用の装着体において、
前記空間部は、前記バンド部が交錯する部分が別空間になっていることを特徴とする生体情報測定装置用の装着体。
【請求項１０】
請求項１〜９のいずれか一項に記載の生体情報測定装置用の装着体において、
前記ケース部は、前記生体情報測定部が配置された面とは反対側の面に表示部を備え、
前記本体部は、前記生体情報測定装置を前記ユーザーに装着した装着状態において、少なくとも前記表示部と重なる領域が透光性を有していることを特徴とする生体情報測定装置用の装着体。
【請求項１１】
請求項１〜１０のいずれか一項に記載の生体情報測定装置用の装着体において、
伸縮性を有するポリウレタン樹脂またはシリコーン樹脂を含む材料で少なくとも前記本体部が構成されていることを特徴とする生体情報測定装置用の装着体。
【請求項１２】
請求項１〜１１のいずれか一項に記載の生体情報測定装置用の装着体において、
前記第１開口部と前記第２開口部との距離が、前記生体情報測定部の窓部または受光素子と前記第１開口部との距離よりも大きいことを特徴とする生体情報測定装置用の装着体。
【発明の詳細な説明】
【技術分野】
【０００１】
本発明は、生体情報測定装置用の装着体に関する。
【背景技術】
【０００２】
従来、バンド等によって手首等の部位に装着され、装着者の脈波や脈拍等の生体情報を測定する腕時計型の生体情報測定装置が知られている（例えば、特許文献１参照）。このような装置・機器（測定装置、測定機器）では、ユーザーの身体（手首）に接触させて生体情報を測定する生体情報測定部を有するケース部（本体部）と、そのケース部の両側に伸びる２本のバンドを有するバンド部とを含み、当該バンド部によりケース部を手首に装着するとしている。ケース部の裏面（ユーザーの手首に接触する面）には、脈波を光学的に検出するための生体情報測定部（検出部（センサー））が配置されている。
【先行技術文献】
【特許文献】
【０００３】
【特許文献１】特開２０１０−１１０６３４号公報
【発明の概要】
【発明が解決しようとする課題】
【０００４】
特許文献１に記載の生体情報測定装置のバンド部のような手首装着型のバンドは、特にその裏側が、汗などにより汚れやすいが、通常、バンドはケース部（本体部）にバネ棒等で取り付けられていたり、ケース部と一体形成されたタイプであったりするため、ユーザーがバンド部を取り外すことは困難であった。そのため、バンド部を容易に洗浄したり、交換したりすることが困難であることから、不潔になりやすく、装着するユーザーに不快感を与えたり、汗疹や湿疹などの皮膚の炎症を発症してしまったりする虞があった。
また、生体情報測定装置を装着して生体情報を測定していることを周囲に知られたくないユーザーも少なからず居り、周囲に知られることなく生体情報を測定することが可能な測定システムが求められていた。
【課題を解決するための手段】
【０００５】
本発明は、上述の課題の少なくとも一部を解決するためになされたものであり、以下の形態または適用例として実現することが可能である。
【０００６】
［適用例１］  本適用例にかかる生体情報測定装置用の装着体は、ユーザーの身体に接触させて生体情報を測定する生体情報測定部を有するケース部と、前記ケース部の一端および他端に各々接続され、前記ケース部を前記ユーザーの身体に装着するバンド部と、を含む生体情報測定装置を前記ユーザーに装着するための装着体であって、可撓性を有するとともに、前記ユーザーとの接触面を含む第１面、および該第１面の反対側の第２面を有する本体部と、少なくとも前記第１面に設けられ、前記バンド部が挿入される第１開口部および第２開口部と、を備え、前記第１開口部と前記第２開口部との距離が、前記生体情報測定部と前記第１開口部との距離よりも大きいことを特徴とする。
【０００７】
本適用例によれば、本体部の第１面に設けられた第１開口部および第２開口部から、バンド部の２つのバンドを第２面側に出して、且つ、生体情報測定部をユーザーの身体に接触させた状態で、生体情報測定装置をユーザーに装着することができる。これにより、バンド部がユーザーの身体（皮膚）に触れない状態で、且つ、生体情報測定部によりユーザーの生体情報を測定可能な状態にて、ユーザーに生体情報測定装置を装着することができる。
したがって、生体情報測定装置をバンド部により長時間装着したときに起こり得る汚れや汗の付着を抑えたり、バンド部を交換することなく、清浄な面をユーザーの身体に接触させた状態で生体情報測定装置をユーザーに装着したりすることが可能な生体情報測定装置用の装着体を提供することができる。
また、装着体によって生体情報測定装置の外観を覆う構成とすることも可能であり、このようにすれば、生体情報を測定していることを周囲に知られたくないユーザーのニーズに応えられ、周囲に知られることなく生体情報を測定することが可能な生体情報測定装置用の装着体を提供することができる。
【０００８】
［適用例２］  上記適用例にかかる生体情報測定装置用の装着体において、前記本体部の幅は、前記バンド部の幅より大きいことが好ましい。
【０００９】
本適用例によれば、バンド部が皮膚に接触しない状態で生体情報測定装置をユーザーに装着することができる。
【００１０】
［適用例３］  上記適用例にかかる生体情報測定装置用の装着体において、前記本体部は、前記ケース部の前記生体情報測定部側の反対側の面に沿った形状を有することを特徴とする。
【００１１】
本適用例によれば、装着体によりケース部を確実に保持できるので、生体情報測定装置を良好な装着状態でユーザーに装着して、精度のよい生体情報測定を行うことができる。
【００１２】
［適用例４］  上記適用例にかかる生体情報測定装置用の装着体において、前記バンド部の一方のバンドは、他方のバンドを保持するための遊革を備え、前記第１開口部および前記第２開口部のうち、前記遊革を備えた方のバンドに対応する一方の開口部が、他方の開口部よりも大きいことが好ましい。
【００１３】
本適用例によれば、第１開口部および第２開口部のうち、他方の開口部よりも大きい一方の開口部の方に、遊革を備えて大きさが増す一方のバンドを通すので、バンドを通しやすくなる効果が得られるとともに、他方の開口部を不要に大きくすることを避けられる。
【００１４】
［適用例５］  上記適用例にかかる生体情報測定装置用の装着体において、前記ユーザーに装着された装着状態における前記生体情報測定装置の外周よりも長いことが好ましい。
【００１５】
本適用例によれば、バンド部がユーザーの身体に触れない状態で、且つ、生体情報を測定可能な状態で、生体情報測定装置をユーザーに装着することが可能な装着体を提供することができる。
【００１６】
［適用例６］  上記適用例にかかる生体情報測定装置用の装着体において、前記装着体の長さをＡ、前記装着状態の前記生体情報測定装置の外周の長さをＢとしたとき、２Ｂ≦Ａ≦３Ｂの条件を満たすことを特徴とする。
【００１７】
本適用例によれば、２Ｂ≦Ａであることにより、ユーザーの身体にバンド部が触れない状態を確保しながら、さらに生体情報測定装置を覆うように保持する長さが確保できるとともに、Ａ≦３Ｂとすることにより、装着体の末端の固定代を確保しつつ、余分な長さを抑えた適切な長さの装着体とすることができる。
【００１８】
［適用例７］  上記適用例にかかる生体情報測定装置用の装着体において、少なくとも一端側に固定手段を有し、該固定手段と前記一端側よりも他端側の領域とを接触させることにより固定することが可能であることを特徴とする。
【００１９】
本適用例によれば、ユーザーに装着したときに、固定手段の凹凸が抑えられる生体情報測定装置用の装着体を提供することができる。
【００２０】
［適用例８］  上記適用例にかかる生体情報測定装置用の装着体において、環状であり、前記第１面と前記第２面との間に、前記第１開口部または前記第２開口部から挿入された前記バンド部を収容可能な空間部が設けられていることが好ましい。
【００２１】
本適用例によれば、空間部にバンド部を収容し、生体情報を測定可能な状態で生体情報測定装置をユーザーの身体に装着することが可能な装着体を提供することができる。
【００２２】
［適用例９］  上記適用例にかかる生体情報測定装置用の装着体において、前記空間部は、前記バンド部が交錯する部分が別空間になっていることを特徴とする。
【００２３】
本適用例によれば、バンド部が空間部で交錯しないので、バンド部が収容しやすい効果が得られる。
【００２４】
［適用例１０］  上記適用例にかかる生体情報測定装置用の装着体において、前記ケース部は、前記生体情報測定部が配置された面とは反対側の面に表示部を備え、前記本体部は、前記生体情報測定装置を前記ユーザーに装着した装着状態において、少なくとも前記表示部と重なる領域が透光性を有していることを特徴とする。
【００２５】
本適用例によれば、例えば、生体情報測定装置による生体情報測定値や、それに基づく生体状態のレベルが表示される表示部を、装着状態において視認することが可能な装着体を提供することができる。
【００２６】
［適用例１１］  上記適用例にかかる生体情報測定装置用の装着体において、伸縮性を有するポリウレタン樹脂またはシリコーン樹脂を含む材料で少なくとも前記本体部が構成されていることが好ましい。
【００２７】
本適用例によれば、生体情報測定装置を取り付けた装着体の本体部を伸長させながらユーザーの身体に装着し、伸長させた引っぱり力を開放することによる復元力で、ユーザーへの生体情報測定部の密着力を高めることができる。また、ポリウレタン樹脂またはシリコーン樹脂を用いることで、例えば金属製の本体部を用いた装着体に比して軽量化を図り、装着者への圧迫感を緩和することができる。さらに、特にシリコーン樹脂は、ひとの皮膚に対して低刺激性であるとされていることから、装着したユーザーの皮膚に、例えば汗疹や湿疹などの皮膚疾患が生ずるのを抑えることができる。
したがって、生体情報測定装置を繰り返し装着したり、長時間連続して装着したりすることが容易な装着体を提供することができる。
【００２８】
［適用例１２］  上記適用例にかかる生体情報測定装置用の装着体において、前記第１開口部と前記第２開口部との距離が、前記生体情報測定部の窓部または受光素子と前記第１開口部との距離よりも大きいことが好ましい。
【００２９】
本適用例によれば、バンド部がユーザーの身体（皮膚）に触れない状態で、且つ、生体情報測定部の窓部または受光素子によりユーザーの生体情報を測定可能な状態にて、ユーザーに生体情報測定装置を装着することができる。
【図面の簡単な説明】
【００３０】
【図１】実施形態１に係る生体情報測定装置用の装着体により、生体情報測定装置をユーザーに装着した状態を示す斜視図。
【図２】実施形態１に係る生体情報測定装置の概略構成を示す斜視図。
【図３】実施形態１に係る生体情報測定装置の概略構造の展開図。
【図４】実施形態１に係る生体情報測定用の装着体の概略構成を示す斜視図。
【図５】実施形態１に係る生体情報測定装置用の装着体による生体情報測定装置の装着状態における側面図。
【図６】実施形態１の変形例１に係る生体情報測定装置用の装着体を示す斜視図。
【図７】実施形態１の変形例２に係る生体情報測定装置用の装着体により、生体情報測定装置をユーザーに装着した状態を示す斜視図。
【図８】実施形態２に係る生体情報測定装置用の装着体の概略構成を示す斜視図。
【図９】実施形態２に係る生体情報測定装置用の装着体による生体情報測定装置の装着状態における側面図。
【図１０】実施形態２の変形例３に係る生体情報測定装置用の装着体による生体情報測定装置の装着状態における側面図。
【図１１】実施形態３に係る生体情報測定機器の従来例を示す断面図。
【図１２】実施形態３に係る生体情報測定機器を示す斜視図。
【図１３】実施形態４に係る生体情報測定機器を示す正面図。
【図１４】実施形態５に係る生体情報測定機器を示す斜視図。
【図１５】実施形態６に係る生体情報測定機器を示す断面図。
【図１６】実施形態３〜６に係る生体情報測定機器を製造する方法のフローチャート。
【図１７】生体情報測定装置をユーザーが装着した従来の状態を示す斜視図。
【発明を実施するための形態】
【００３１】
以下、本発明の実施形態について、図面を参照して説明する。なお、以下の各図においては、各層や各部材を認識可能な程度の大きさにするため、各層や各部材について実際とは異なる尺度で示している場合がある。
【００３２】
（実施形態１）
［生体情報測定装置、および、生体情報測定装置用の装着体の概要］
図１は、実施形態１に係る生体情報測定装置１用の装着体（以下、単に「装着体」ということもある）５０により、生体情報測定装置１をユーザー（生体）に装着した装着状態を示す図である。また、図２は、実施形態１に係る生体情報測定装置１を生体から取り外した開放状態を示す図である。また、図１７は、本実施形態に係る生体情報測定装置１をユーザーが装着した従来の状態を示す斜視図である。
【００３３】
まず、本実施形態に係る生体情報測定装置（以下では、測定装置ともいう）１の従来の装着状態について、図１７を用いて説明する。本実施形態に係る生体情報測定装置１は、生体情報を測定されるユーザーの生体（人体）に装着され、脈波等の生体情報を測定する電子装置（電子機器）である。図１７に示すように、測定装置１は、腕時計のようにバンド部２０により装着者（生体）の測定部位（手首等）に装着され使用される。図１７では、測定装置１が装着者の左側の腕ＡＲの手首ＷＲに装着された状態を示している。
【００３４】
これに対して、図１に示す本実施形態１において、生体情報測定装置１は、生体情報を測定されるユーザーの生体（人体）に、装着体５０を介して装着される。図１に示すように、測定装置１は、リストバンド状の装着体５０を介して装着者（生体）の測定部位（手首等）に装着され使用され、上述した図１７に示す従来例と同じく、測定装置１が装着者の左側の腕ＡＲの手首ＷＲに装着された状態を示している。
【００３５】
本明細書では、測定装置１の正面の法線方向を、図１における手前側を正とするＺ軸方向とする。測定装置１の正面とは、発光部１４が配置された面を指す。また、Ｚ軸方向と交差する方向であって、腕ＡＲの長さ方向を、指がある先端側を正とするＸ軸方向とする。そして、Ｚ軸方向およびＸ軸方向と交差する方向であって、腕ＡＲの幅方向を、小指側を正とするＹ軸方向とする。
【００３６】
なお、本明細書では、測定装置１を正面の法線方向（Ｚ軸方向）から見ることを「正面視」という。また、測定装置１をＸ軸方向から見ることを「側面視」という。また、測定装置１が手首ＷＲに装着された状態で、生体側、すなわち手首ＷＲに面する側を「内側」または「内面」といい、生体とは反対側、すなわち手首ＷＲに面する側の反対側を「外側」または「外面」という。
【００３７】
測定装置１は、腕時計に類似した一般の生体情報測定装置（以下では、一般の測定装置という）のように文字やグラフィックス等を表示するためのモニター部（ディスプレイ）を備えておらず、その代わりに、発光部１４を備えている。また、測定装置１は、一般の測定装置のように操作するためのボタンやスイッチ類を備えていない。測定装置１は、測定装置１の正面とは反対側の底面（検出部）を手首ＷＲに密着させた状態で生体情報を測定する。なお、発光部１４の代わりに振動モーターやアラームなどを用いる構成としても良い。
【００３８】
次に、図２を参照して、他の構成のバックル部を有する測定装置１の装着状態について説明する。図２に示すように、測定装置１は、機器本体であるケース部１０と、ケース部１０を手首ＷＲに固定するバンド部２０と、バンド部２０に接続するバックル部３０と、を備えている。
【００３９】
バンド部２０は、Ｙ軸方向に沿ってケース部１０の正面側を覆うとともにケース部１０の両側から延出されている。バンド部２０は、ケース部１０の配置された部分から一端側に伸びる第１バンド２２と、他端側に伸びる第２バンド２４とを備えている。単品（初期）状態におけるバンド部２０は、側面視において、その中程であるケース部１０の配置部を頂部として、左右に第１バンド２２と、第２バンド２４とが垂れ下がる逆Ｕ字状の形状となっている。そして、第２バンド２４の端部には、バックル部３０および遊革３３が設けられている。
【００４０】
バックル部３０は、第２バンド２４の端部に備えられている軸ピン（同図では図示せず）によって回転自在に設けられた美錠３１およびつく棒３２を有している。そして、バックル部３０は、美錠３１内でつく棒３２を第１バンド２２に形成された装着穴２６に挿入することによって、第１バンド２２と連結することができる。即ち、第１バンド２２と第２バンド２４とを連結することができる。このように、バックル部３０は、バンド部２０全体の長さを調整する機能をもつ部品である。また、遊革３３は、バックル部３０よりケース部１０側の第２バンド２４に移動可能に装着され、第１バンド２２の端部（剣先）を保持する機能をもつ環状の部品である。
【００４１】
《生体情報測定装置の全体構成》
図３は、生体情報測定装置の概略構造の展開図である。
図３に示すように、バンド部２０には、その延在方向における中程に穴部２１ｂが形成されている。穴部２１ｂには、平面的に略長方形をなしたケース部１０が嵌め込まれている。ケース部１０は、発光部１４を上（正面側）に向けた状態で、バンド部２０の背面側（手首ＷＲと対面する側）から穴部２１ｂに嵌め込まれ（挿入され）ている。バンド部２０の延在方向における穴部２１ｂが形成されている部分は、両端部よりも幅広に形成されている。
バンド部２０は、穴部２１ｂから一端側に伸びる第１バンド２２と、他端側に伸びる第２バンド２４とを備えている。単品（初期）状態におけるバンド部２０は、側面視において、その中程（穴部２１ｂ）を頂部として、左右に第１バンド２２と、第２バンド２４とが垂れ下がる逆Ｕ字状の形状となっている。
【００４２】
ケース部１０は、Ｙ軸方向に沿った側部１１とＸ軸方向に沿った端部１２とを有し、正面視において側部１１を長辺とし端部１２を短辺とする略長方形状である。また、ケース部１０は、測定装置１の正面側に凸状の曲面で構成される上面１０ａを有し、上面１０ａとは反対側、すなわち、手首ＷＲに面する側に底面１０ｂを有している。底面１０ｂには、検出部としての窓部１３が配置されている。なお、実際に生体情報を検出するセンサーは、窓部１３の奥に配置されている光電脈波センサー部５であるが、構造上、手首ＷＲ側に最も突出しており、かつ、密着性が求められる部位が窓部１３となるので生体情報測定部（検出部（センサー））としている。ケース部１０は、例えば、ポリカーボネイト（ＰＣ）、ポリスチレン（ＰＳ）、ＡＢＳ樹脂等の樹脂材料からなる。
【００４３】
ケース部１０の上面１０ａには、発光部１４が配置されている。発光部１４は、例えば、ＬＥＤ（Light Emitting Diode）等からなる複数の発光素子で構成される。好適例では、５つのＬＥＤを一列に配置している。測定装置１は、発光部１４において、例えば、各発光素子の発光色を異ならせたり、点灯、消灯、点滅等の状態を組み合わせたりすることにより、測定装置１の動作モードや、生体情報の測定に関わる情報等を装着者に通知することができる。
【００４４】
バンド部２０は、Ｙ軸方向に沿って延在している。バンド部２０の本体部２１の表面は、ケース部１０の上面１０ａに沿って略円弧状に湾曲している。なお、バンド部２０は、上述した生体情報測定部（検出部（センサー））としての窓部１３を、例えば手首ＷＲなどに密着させるように測定装置１を生体（例えば人体における腕ＡＲの手首ＷＲ）に装着するため、生体に倣って変形自在な材料によって形成されていることが好ましい。
【００４５】
バンド部２０は、ケース部１０の上面１０ａを覆う本体部２１と、本体部２１からケース部１０の側部１１に沿った方向の一方の側に延出する第１バンド２２と、本体部２１からケース部１０の側部１１に沿った方向の他方の側に延出する第２バンド２４とを有している。本体部２１、第１バンド２２、および第２バンド２４は、一体で成形されている。バンド部２０の中程に位置する本体部２１は、ケース部１０の上面１０ａに沿って湾曲しており、凸状の曲面で構成される表面を有している。本体部２１には、穴部２１ｂが形成されている。
【００４６】
第１バンド２２および第２バンド２４は、湾曲した本体部２１からケース部１０の底面１０ｂ側に反るように延在している。第１バンド２２は、その先端に先端部２３を有している。先端部２３は第１バンド２２の延在方向から内側へ曲げられている。第２バンド２４は、その先端にバックル部３０および遊革３３が設けられている。
【００４７】
第１バンド２２には、複数の装着穴２６が第１バンド２２の延在方向に沿って並ぶように設けられている。複数の装着穴２６は、第１バンド２２をその厚さ方向に貫通して設けられ、略均一な配置ピッチで配置されている。
【００４８】
バックル部３０は、第２バンド２４の端部に備えられている軸ピン（同図では図示せず）によって回転自在に設けられた美錠３１およびつく棒３２を有している。そして、バックル部３０は、美錠３１内でつく棒３２を第１バンド２２に形成された装着穴２６に挿入することによって、第１バンド２２と連結することができる。即ち、第１バンド２２と第２バンド２４とを連結することができる。このように、バックル部３０は、バンド部２０全体の長さを調整する機能をもつ部品である。また、遊革３３は、バックル部３０よりケース部１０側の第２バンド２４に移動可能に装着され、第１バンド２２の端部（剣先）を保持する機能をもつ環状の部品である。
【００４９】
ケース部１０とバンド部２０とは、ケース部１０の上面１０ａ側がバンド部２０の穴部２１ｂに嵌め込まれて、一体に設けられている。ケース部１０の上面１０ａ、側部１１、および端部１２の一部は、バンド部２０で覆われている。また、ケース部１０の上面１０ａの一部は、カバー部１６で覆われている。カバー部１６は、発光部１４と重なる部分を開口部とした化粧板である。カバー部１６は、ポリカーボネイトなどの樹脂製のフィルム部材から構成されており、カラフルな着色がなされ、文字などの印刷が可能な構成となっている。カバー部１６は、ケース部１０を保護するとともに、デザインの自由度を高めている。
【００５０】
測定装置１は、機器本体であるケース部１０内に制御部、電源部、通信部、センサー部等を備えている。なお、ケース部１０内に備えるこれらの構成要素については図示を省略する。制御部は、例えばＣＰＵ、ＲＯＭ、ＲＡＭ等で構成され、これらのハードウェアとＲＯＭ等に記憶されたソフトウェアとが協働して測定装置１の動作を制御する。電源部は、電源回路、電池等で構成される。ケース部１０には、電池を充電するための端子部が設けられている。
【００５１】
通信部は、測定装置１とスマートフォンやパーソナルコンピューター等の外部機器との間で、例えばＢｌｕｅｔｏｏｔｈ（登録商標）等の公知の無線通信方式により、無線通信を行う。これにより、外部機器から測定装置１を操作することや、測定装置１で測定された生体情報を外部機器に送信して装着者の生体情報の蓄積および管理をすることができる。測定装置１は、外部機器との連携により、測定した装着者の生体情報を蓄積しその情報に基づいて装着者に、例えば、生体情報の分析結果や運動量が適正であるか否か等の情報を提供する機能を有している。
【００５２】
センサー部としては、前述した生体情報を検出する光電脈波センサー部５に加えて、装着者のタップ操作を検出するタップ操作センサー部（図示省略）を備えている。光電脈波センサー部５は、例えばＬＥＤ等の発光素子とフォトダイオード等の受光素子とで構成される。光電脈波センサー部５は、発光素子から装着者の手首ＷＲに向けて検出光を照射し、手首ＷＲの血管で反射された反射光を受光素子で受光することにより、装着者の脈波を検出する。なお、検出光および反射光は、検出部としての窓部１３を介して出入射される。測定装置１は、光電脈波センサー部５で検出された脈波に基づいて、装着者の脈拍数を測定する。
【００５３】
タップ操作センサー部は、例えば加速度センサーで構成される。タップ操作とは、測定装置１を指や手のひら等で叩く操作のことである。装着者は、測定装置１を叩くタップ操作を行うことで、測定装置１を操作する。測定装置１は、装着者のタップ操作を、タップ操作センサー部のセンサー情報に基づいて検出する。測定装置１では、簡単な操作はタップ操作で行われ、測定装置１の各種設定や詳細な操作等は無線通信を介して外部機器により行われる。測定装置１は、このような構成により、操作のためのボタンやスイッチ類を不要にしている。なお、加速度センサーからの信号は、生体情報を検出する際に脈波信号に重畳される体動ノイズの抑制処理においても用いることができる。
【００５４】
測定装置１は、装着者が歩行や走行等の運動をする際だけでなく常に装着することにより、装着者の日常生活における生体情報を測定することを目的とする機器である。そのため、測定装置１には、長時間装着していても装着者の負担（例えば、機器の重さ、大きさ、形状や、締め付け力に起因する不快感）が少なく、かつ、装着者の姿勢や動作に関わらず安定した状態で生体情報を測定できることが求められる。測定装置１は、モニター部（ディスプレイ）、ボタンやスイッチ類を排することで、一般の測定装置と比べて、小型化および軽量化と電池の長寿命化とを可能にしている。また、装着者が運動時に脈拍数を測定する場合、検出部で検出された脈波には運動に起因する体動ノイズが重畳される。この体動ノイズが重畳された脈波信号から脈波成分だけを抽出するために、タップ操作センサー部の加速度センサーから出力される加速度信号を利用しても良い。これにより、タップ操作検出用の加速度センサーと脈波成分を抽出するための加速度センサーとを１つの加速センサーで共用することができ、低コスト化、小型化、電池の長寿命化を実現できる。
【００５５】
《装着体の構成》
次に、上述の測定装置１用の装着体５０の構成について、図面に沿って説明する。図４は、実施形態１に係る装着体５０の概略構成を示す斜視図である。
図４に示すように、装着体５０は、帯状の本体部５１と、その本体部５１において、少なくともユーザーとの接触面を含む第１面５１ａ側に所定の間隔を空けて設けられた第１開口部５２および第２開口部５３と、本体部５１の一端側５１ｃに設けられ、本体部５１の他端側５１ｄと接触させることにより固定することが可能な固定手段５５と、を有している。
【００５６】
本体部５１は、例えば手首ＷＲなどのユーザーの身体に直接巻きつけた上から、測定装置１を巻き込むようにして、測定装置１を生体情報の測定が可能な状態で安定的に装着できる物理特性を有する材料からなる。装着体５０の本体部５１の材料としては、例えば、シリコーンゴム（シリコーン樹脂）、天然ゴム、カーボンブラックを配合したゴム、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレンゴム、アクリルゴム、フッ素ゴム、エピクロルヒドリンゴム、ウレタンゴム（ウレタン樹脂）、ポリウレタンゴム（ポリウレタン樹脂）、スチレン系エラストマー、オレフィン系エラストマー、塩ビ系エラストマー、ポリエステル系エラストマー、ポリウレタン系エラストマー、シリコーン系エラストマー、アミド系エラストマー、ナイロン系エラストマー、動的架橋型エラストマー等、または、これらをブレンドしたものを用いることができる。また、他の材料としては、合皮、本皮、本革、あるいは熱可塑性樹脂で構成されたポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等があげられ、このうち１種または２種以上を混合して用いることができる。本体部５１は、手首ＷＲに対して適度な締め付け力が得られるような柔軟性や弾性力と良好な耐久性とを有するとともに、皮膚に対する刺激の少なく肌に優しい材料で形成されることが望ましい。このような特性を有する材料として、伸縮性を有するポリウレタン樹脂、またはシリコーンゴムを少なくとも含む材料を好適に用いることができる。
なお、本実施形態の装着体５０は、スポーツ用のリストバンドやサポーターのように装着することができるので、それらの製品に使われる材料を参考にして本体部５１の構成材料を決定するとよい。例えば、上記した材料を用いた合成繊維や、ウールなどの動物繊維を用いて、スポーツ用のリストバンドやサポーターの製造技術を参考にしながら、上述した柔軟性、弾力性、および耐久性などの所望の特性を満たす本体部５１を形成するとよい。このような繊維を材料として用いた本体部５１によって装着体５０を形成すれば、上述した要求される諸特性とともに、具備させたい特性である通気性を良好に確保しやすくなる。
【００５７】
本体部５１は、測定装置１のバンド部２０の幅よりも大きい幅Ｗ１を有している。なお、本体部５１の長さについては、後で詳述する。
【００５８】
本体部５１に所定の間隔を空けて設けられた第１開口部５２および第２開口部５３は、本実施形態では、ユーザーとの接触面を含む第１面５１ａから、第１面５１ａの反対側の第２面５１ｂに貫通して形成されている。第１開口部５２および第２開口部５３は、測定装置１のバンド部２０の第１バンド２２および第２バンド２４を通すものであり、本実施形態では、第１開口部５２が第１バンド２２に対応し、第２開口部５３が第２バンド２４に対応する。即ち、第１開口部５２および第２開口部５３は、本体部５１の長手方向（長さ方向）と交差する幅Ｗ１方向に細長く形成されている。また、バックル部３０および遊革３３を有する第２バンド２４に対応する第２開口部５３は、第１開口部５２よりも大きく形成されている。
【００５９】
装着体５０により測定装置１をユーザーの身体（手首ＷＲ）に装着するときには、装着体５０の本体部５１の第１面５１ａ側に、生体情報測定部としての窓部１３をユーザーと接触する側に向けてケース部１０を配置し、バンド部２０の第１バンド２２および第２バンド２４の各々を、第１開口部５２および第２開口部５３を通して本体部５１の第２面５１ｂ側に配置させる。この状態において、第１開口部５２と第２開口部５３との間の所定の間隔は、生体情報測定部としての窓部１３（詳しくは、窓部１３を通してケース部１０内部に配置された光電脈波センサー部５の受光素子）と第１開口部５２との距離よりも大きく設定される。さらに具体的には、第１開口部５２と第２開口部５３との間の所定の間隔は、少なくとも窓部１３の長さよりも長く、ケース部１０の長さ以下であることが望ましい。換言すると、第１開口部５２と第２開口部５３との間隔は、上述した測定装置１の装着状態において、少なくとも窓部１３が生体情報測定可能な状態でユーザーの身体（手首ＷＲ）に接触し、且つ、第１バンド２２および第２バンド２４（バンド部２０）がユーザーの身体（手首ＷＲ）に触れない状態にできる間隔とすることが望ましい。
【００６０】
本体部５１の一端側５１ｃに設けられた固定手段５５は、本体部５１の他端側５１ｄと接触することにより固定することが可能な所謂面ファスナーである。即ち、一端側５１ｃの固定手段５５はフック状に密集して起毛され、本体部５１の他端側５１ｄの所定の範囲がループ状に密集して起毛され、これらフック状に起毛された固定手段５５側と、ループ状に起毛された本体部５１の他端側５１ｄを押し付けることにより貼りつくように固定することができ、双方を引き剥がすことにより固定を解除することが可能になっている。この他の面ファスナーとしては、フック状とループ状との区別のないタイプのものや、マッシュルーム形状に起毛されて結合力が強いタイプ（クリックタイプ）のもの、あるいは、鋸刃状のタイプ（シャークバイトタイプ）のものなどがあり、所望の固定強度のものを適宜に選んで用いることができる。
【００６１】
《装着体による測定装置の装着》
次に、図５を参照して、装着体５０による測定装置１の装着状態の詳細について説明する。図５は、測定装置１用の装着体５０による測定装置１の装着状態を示す側面図である。
図５に示すように、測定装置１は、装着体５０を介して手首ＷＲに装着される。詳述すると、装着体５０の本体部５１の第１面５１ａ側に、生体情報測定部としての窓部１３を手首ＷＲと接触する側に向けてケース部１０を配置し、バンド部２０の第１バンド２２および第２バンド２４の各々を、第１開口部５２および第２開口部５３を通して本体部５１の第２面５１ｂ側に配置させる。なお、図５では、各部の構造を判りやすく示す便宜上、測定装置１と装着体５０との間の隙間が明確に判るように大きめに示しているが、実際には、目視で隙間が判るほどの隙間ではない。
【００６２】
第２バンド２４と手首ＷＲとの間には、本体部５１の第２開口部５３から他端側５１ｄが配置され、第１バンド２２と手首ＷＲとの間には、本体部５１の第１開口部５２から一端側５１ｃが配置される。そして、一端側５１ｃは、本体部５１の他端側５１ｄを介して手首ＷＲに宛がわれた第２バンド２４の外側に巻き付けられてから、ケース部１０の外側を覆う本体部５１の第２開口部５３と第１開口部５２との間の領域の外側に巻き付けられ、さらに、第１バンド２２の外側を覆うように巻き付けられ、第２バンド２４の外側を覆う本体部５１の一端側５１ｃよりも他端側５１ｄ寄りの領域に固定手段５５を押し付けることにより固定されている。ここでユーザーが、不要に強い圧迫感や痛みなどを感じない適度な締め付け度合に調整しながら装着体５０を巻き付けることにより、測定装置１は、第１バンド２２および第２バンド２４（バンド部２０）が手首ＷＲに触れない状態で、生体情報測定部（センサー）としての窓部１３を手首ＷＲに適度な強さで密着させるために必要な締め付けを行って装着することができる。
【００６３】
本実施形態の測定装置１用の装着体５０は、上述した装着状態を実現するために、手首ＷＲに装着された装着状態における測定装置１の外周よりも長いことが好ましいのはいうまでもなく、バンド部２０と手首ＷＲとの接触を回避するためには必須の要件となる。さらに具体的には、装着体５０の長さをＡ、上記装着状態におけるバンド部２０の長さをＢとしたとき、２Ｂ≦Ａ≦３Ｂの条件を満たすことが望ましい。この構成によれば、２Ｂ≦Ａであることにより、手首ＷＲにバンド部２０（第１バンド２２および第２バンド２４）が触れない状態を確保しながら、さらに測定装置１を覆うように保持する長さが確保できるとともに、Ａ≦３Ｂとすることにより、装着体５０の末端の固定代（一端側５１ｃの固定手段５５、および、他端側５１ｄの所定の領域）を確保しつつ、余分な長さを抑えた適切な長さの装着体５０を提供することができる。
【００６４】
以上述べたように、本実施形態に係る測定装置１用の装着体５０によれば、以下の効果を得ることができる。
上記実施形態の装着体５０は、ユーザーの身体（手首ＷＲ）との接触面を含む第１面５１ａ、および該第１面５１ａの反対側の第２面５１ｂを有する本体部５１と、その本体部５１に設けられた第１開口部５２および第２開口部５３と、を備え、第１開口部５２と第２開口部５３との距離が、測定装置１の生体情報測定部としての窓部１３と第１開口部５２との距離よりも大きい構成とした。
また、装着体５０の本体部５１が、手首ＷＲに装着された装着状態における測定装置１の外周よりも長い構成とした。
さらに、本体部５１の幅Ｗ１は、バンド部２０の第１バンド２２および第２バンド２４の幅より大きい構成とした。
【００６５】
このような構成によれば、本体部５１に設けられた第１開口部５２および第２開口部５３の第１面５１ａ側から、バンド部２０の２つのバンド（第１バンド２２および第２バンド２４）を第２面５１ｂ側に出して、生体情報測定部としての窓部１３を手首ＷＲに接触させた状態にて、測定装置１をユーザーに装着することができる。これにより、バンド部２０（第１バンド２２および第２バンド２４）がユーザーの皮膚（手首ＷＲ）に触れない状態で、且つ、窓部１３によりユーザーの生体情報を測定可能な状態で、ユーザーに測定装置１を装着することができる。
したがって、生体情報測定装置１をバンド部２０により長時間装着したときに起こり得る汚れや汗の付着を抑えたり、バンド部２０を交換することなく、常時清浄な面をユーザーの身体に接触させた状態で測定装置をユーザーに装着したりすることが可能な生体情報測定装置１用の装着体５０を提供することができる。
また、本実施形態の装着体５０によれば、装着体５０によって測定装置１の外観を覆い隠すように装着できるので、生体情報を測定していることを周囲に知られたくないユーザーのニーズに応えられ、周囲に知られることなく生体情報を測定することが可能な測定装置１用の装着体５０を提供することができる。
さらに、装着体５０の外観の形状や表面のデザインを工夫すれば、ファッション性を楽しみながら生体情報を連続測定することが可能になる。
【００６６】
また、本実施形態では、装着体５０の長さをＡ、上記装着状態におけるバンド部２０の長さをＢとしたとき、２Ｂ≦Ａ≦３Ｂの条件を満たす構成とした。
この構成によれば、２Ｂ≦Ａであることにより、手首ＷＲにバンド部２０（第１バンド２２および第２バンド２４）が触れない状態を確保しながら、さらに測定装置１を覆うように保持する長さが確保できるとともに、Ａ≦３Ｂとすることにより、装着体５０の末端の固定代（一端側５１ｃの固定手段５５、および、他端側５１ｄの領域）を確保しつつ、余分な長さを抑えた適切な長さの装着体５０を提供することができる。
【００６７】
また、本実施形態では、バンド部２０の一方の第２バンド２４は、他方の第１バンド２２を保持するためのバックル部３０および遊革３３を備え、第１開口部５２および第２開口部５３のうち、バックル部３０および遊革３３を備えた方の第２バンド２４に対応する第２開口部５３が、第１開口部５２よりも大きい構成とした。
この構成によれば、バックル部３０および遊革３３を通せるように、第１開口部５２よりも大きく形成した第２開口部５３の方にバックル部３０および遊革３３を備えて大きさが増している第２バンド２４を通すので、第２バンド２４を通しやすいとともに、第１開口部５２が不要に大きくなることが避けられ、適度な大きさの開口部を有する装着体５０とすることができる。
【００６８】
また、上記実施形態では、装着体５０の本体部５１の一端側５１ｃに、他端側５１ｄの所定の領域と接触することにより固定することが可能な面ファスナーを固定手段５５として設けた。
この構成によれば、装着体５０により測定装置１をユーザーに装着したときに、固定手段５５の凹凸が抑えられる測定装置１用の装着体５０を提供することができるとともに、装着体５０による測定装置１の取り付けおよび取り外しを容易にできる。
【００６９】
なお、本発明は上述した実施形態に限定されず、上述した実施形態に種々の変更や改良などを加えることが可能である。変形例を以下に述べる。
【００７０】
（変形例１）
図６は、実施形態１の変形例１に係る生体情報測定装置１用の装着体５０Ａを示す斜視図である。以下、変形例１の測定装置１用の装着体５０Ａについて、図６に沿って説明する。なお、実施形態１と同一の構成部位については、同一の符号を付して、重複する説明は省略する。
図６に示すように、変形例１の装着体５０Ａの全体構成は、上述した実施形態１の装着体５０の構成と同様である。本変形例の装着体５０Ａでは、本体部５１において、測定装置１のケース部１０が配置される位置に、ケース部１０の生体情報測定部としての窓部１３側の反対側の面（図１〜図３におけるカバー部１６側の面）に沿った形状を有している。本体部５１の第１開口部５２と第２開口部５３との間の領域に、第１面５１ａ側から第２面５１ｂ側に突出するように、ケース部１０のカバー部１６側に沿った形状が形成されている。
【００７１】
なお、このケース部１０の形状に沿った突出形状形成領域は、本体部５１の材料を成形することにより形成してもよいし、本体部５１の主要な材料が突出形状を形成し難い材料である場合などには、上記突出形状形成領域のみ成形しやすい材料にした構成としてもよい。
【００７２】
本変形例１の測定装置１用の装着体５０Ａによれば、ケース部１０の外形に沿った突出形状形成部分によってケース部１０を確実に保持できるので、測定装置１を良好な装着状態でユーザーに装着して、精度のよい生体情報測定を行うことができる。
また、装着体５０Ａによる測定装置１の装着状態において、装着体５０Ａが確実に保持されやすくなるので、安定した生体情報の測定が可能になる。
【００７３】
（変形例２）
図７は、実施形態１の変形例２に係る測定装置１用の装着体５０Ｂにより、測定装置１をユーザーに装着した状態を示す斜視図である。以下、変形例２の測定装置１用の装着体５０Ｂについて、図７に沿って説明する。なお、実施形態１と同一の構成部位については、同一の符号を付して、重複する説明は省略する。
図７において、本変形例２の測定装置１用の装着体５０Ｂの全体構成は、上述した実施形態１の装着体５０と略同一である。変形例２の装着体５０Ｂは、測定装置１をユーザーの手首ＷＲに装着した状態において、少なくとも測定装置１の発光部１４と重なる領域５９が透光性を有していることを特徴とする。
【００７４】
装着体５０Ｂにおいて、透光性を有するのは、測定装置の発光部１４と重なる領域５９のみであってもよいし、それよりも広い領域、或いは、装着体５０Ｂの全体が透光性を有していてよい。実施形態１、変形例１、および変形例２のリストバンド状の装着体５０，５０Ａ，５０Ｂは、発光部１４と重なる領域５９のみに透光性を持たせる構成とするのは困難であるので、発光部１４と重なる領域５９よりも広い領域、或いは、装着体５０Ｂの全体が透光性を有する構成にするとよい。
【００７５】
変形例２の測定装置１用の装着体５０Ｂによれば、例えば、タイマー機能による所定時間経過の通知や、生体情報測定値が所定の閾値を越えたことの通知など、発光部１４の発光による測定装置１の諸通知を、装着体５０Ｂによる測定装置１の装着状態で視認することができる。この機能は、測定装置１に、文字やグラフィックス等を表示する表示部を備えている場合に、より有効なものとなる。
【００７６】
（実施形態２）
図８は、実施形態２に係る測定装置１用の装着体１５０の概略構成を示す斜視図である。また、図９は、実施形態２に係る測定装置１用の装着体１５０による測定装置１の装着状態における側面図である。
上記実施形態１、変形例１、および変形例２では、リストバンド状の装着体５０，５０Ａ，５０Ｂについて説明した。これに限らず、装着体は、リング状のカバー体として構成することもできる。
以下、実施形態２に係る測定装置１用の装着体１５０について、これらの図を参照して説明する。なお、上記実施形態１と同一の構成部位については、同一符号を付して、重複する説明は省略する。
【００７７】
図８に示すように、実施形態２に係る測定装置１用の装着体１５０は、所定の伸縮性を有する材料からなる環状（リング状）のカバー体であり、ユーザーの身体（手首ＷＲ）に接触する第1面１５１ａと、該第１面１５１ａの反対の反対側の第２面１５１ｂとの間に、第１面１５１ａに形成された第１開口部１５２から挿入される第１バンド２２、および、第２開口部１５３から挿入される第２バンド２４を収容可能な空間部１５１Ｔ（図９参照）が設けられている。
【００７８】
図９に示すように、測定装置１は、装着体１５０を介して手首ＷＲに装着される。詳細には、装着体１５０の本体部１５１の第１面１５１ａ側に、生体情報測定部としての窓部１３を手首ＷＲと接触する側に向けてケース部１０を配置し、バンド部２０の第１バンド２２および第２バンド２４の各々を、第１開口部１５２および第２開口部１５３を通して、第１面１５１ａおよび第２面１５１ｂの間に形成された空間部１５１Ｔに挿入させて収容する。なお、図９では、各部の構造を判りやすく示す便宜上、測定装置１と装着体１５０および空間部１５１Ｔとの間の隙間が明確に判るように大きめに示しているが、実際には、目視で隙間が判るほどの隙間はない。
【００７９】
装着体１５０の本体部１５１は、所定の可撓性および伸縮性を有する材料にて形成される。この装着体１５０により測定装置１を手首ＷＲに装着する際には、まず、バンド部２０の第１バンド２２および第２バンド２４を、第１開口部１５２および第２開口部１５３から空間部１５１Ｔに各々挿入するとともに、ケース部１０を装着体１５０の第１開口部１５２と第２開口部１５３との間の第１面１５１ａ側に位置決めする。そして、測定装置１が位置決めされた装着体１５０を、本体部１５１が有する所定の伸縮性を利用して伸縮させながら手首ＷＲに装着する。これにより、測定装置１は、第１バンド２２および第２バンド２４（バンド部２０）が手首ＷＲに触れない状態で、生体情報測定部（センサー）としての窓部１３を手首ＷＲに適度な強さで密着させるために必要な締め付けを行いながら、装着体１５０を介して手首ＷＲに装着される。
【００８０】
本実施形態２の測定装置１用の装着体１５０は、上述した装着状態を実現するために、複数の異なるサイズのものを用意しておき、各ユーザーが、自身の手首ＷＲの太さに合わせてサイズを選択できるようにすることが望ましい。また、装着体１５０の本体部１５１は、測定装置１を装着する手首ＷＲに対して適度な締め付け力が得られるような柔軟性や弾性力と良好な耐久性とを有するとともに、皮膚に対する刺激の少なく肌に優しい材料で形成されることが望ましい。このような特性を有する材料として、伸縮性を有するポリウレタン樹脂、またはシリコーンゴムを少なくとも含む材料を好適に用いることができる。
これにより、測定装置１が取り付けられた装着体１５０の本体部１５１を伸長させながら測定装置１を手首ＷＲに装着し、伸長させた引っぱり力を開放することによる復元力で、生体情報測定部としての窓部１３の手首ＷＲへの密着力を高めることができる。また、ポリウレタン樹脂またはシリコーン樹脂を用いることで、例えば金属製の本体部を用いた装着体に比して軽量化を図り、装着者への圧迫感を緩和することができる。さらに、特にシリコーン樹脂は、ひとの皮膚に対して低刺激性であるとされていることから、装着したユーザーの手首ＷＲ（皮膚）に、例えば汗疹や湿疹などの皮膚疾患が生ずるのを抑えることができる。
【００８１】
なお、本実施形態２の装着体１５０は、上記実施形態１の変形例２の装着体５０Ｂ（図７を参照）と同様に、測定装置１をユーザーの手首ＷＲに装着した状態において、少なくとも測定装置１の発光部１４と重なる領域が透光性を有する構成とすることにより、同様な効果を得ることができる。実施形態２の装着体１５０は、測定装置１の装着状態において発光部１４と重なる位置が、ユーザーの手首ＷＲの太さによって変わることがないので、測定装置１の発光部１４と重なる領域だけ選択的に透光性を有する構成とすることができる。
【００８２】
以上述べたように、本実施形態に係る測定装置１用の装着体１５０によれば、実施形態１での効果に加えて、以下の効果を得ることができる。
本実施形態２の構成によれば、第１開口部１５２および第２開口部１５３から、バンド部２０の第１バンド２２および第２バンド２４を空間部１５１Ｔへ各々収容し、生体情報測定部としての窓部１３により生体情報を測定可能な状態で測定装置１をユーザーの手首ＷＲに装着することが可能な装着体１５０を提供することができる。
したがって、測定装置１を繰り返し装着する際に、装着体１５０を新しいものと交換することにより、常に清潔な状態にて測定装置１を装着し、生体情報の測定を行うことができる。
【００８３】
また、本実施形態の装着体１５０は、比較的簡単な構造であるため、異なるサイズやデザインのものを複数用意しておき、例えば、その時の好みのものを用いて測定装置１の装着を行うことも可能である。
【００８４】
（変形例３）
図１０は、実施形態２の変形例３に係る測定装置１用の装着体１５０Ａによる測定装置１の装着状態における側面図である。
実施形態２の変形例３に係る測定装置１用の装着体１５０Ａについて、図１０を参照して説明する。なお、実施形態２および実施形態１と同一の構成部位については、同一符号を付して、重複する説明は省略する。
【００８５】
図１０に示すように、本変形例３にかかる測定装置１用の装着体１５０Ａは、実施形態２の装着体１５０と概ね同じ構成を有しているが、本体部１５１Ａの第１面１５１ａと第２面１５１ｂとの間に形成された空間部が、バンド部２０の第１バンド２２と第２バンド２４とが交錯する部分で別空間になっている。本変形例では、第１バンド２２が挿入される第１開口部１５２から本体部１５１Ａ内に形成された第１の空間部１５１Ｔａと、第２バンド２４が挿入される第２開口部１５３から本体部内に形成された第２の空間部１５１Ｔｂとが形成されている。
【００８６】
本変形例３の装着体１５０Ａによれば、空間部が１つの空間である場合のように、バンド部２０の第１バンド２２と第２バンド２４とが空間部で交錯することがないので、バンド部２０が収容しやすい（装着体１５０Ａに測定装置１がセットしやすい）という効果が得られる。
【００８７】
（実施形態３）
次に、本発明の実施形態３について図面を用いて説明する。
実施形態３に係る生体情報測定機器（以下では、測定機器という）は、前述の実施形態と同様に、生体情報を測定される生体（例えば人体）に装着され、脈波や脈拍（心拍数）等の生体情報を測定する心拍数監視装置である。なお、以下に示す各図においては、各構成要素を図面上で認識され得る程度の大きさとするため、各構成要素の寸法や比率を実際の構成要素とは適宜に異ならせて記載する場合がある。
【００８８】
まず、実施形態３に係る生体情報測定機器としての心拍数監視装置１０１０について説明する前に、図１１を用いて実施形態３に係る生体情報測定機器としての心拍数監視装置の従来例について説明する。
【００８９】
図１１は、心拍数監視装置を装着しているユーザー（被験者）１０００（同図では、ユーザーの腕を示す）の、生理的パラメーター（生体情報）を測定する従来例の生体情報測定機器としての心拍数監視装置１０１０を示す断面図である。心拍数監視装置１０１０は、ユーザー１０００の少なくとも一つの生理的パラメーターとしての心拍数を計測するセンサー１０１２と、センサー１０１２を収納しているケース１０１４を備えている。心拍数監視装置１０１０は、固定手段１０１６（例えばバンド）によって、ユーザー１０００の腕１００１に装着される。
【００９０】
このセンサー１０１２は、二つのセンサーエレメントである発光素子１１２１および受光素子１１２２を備え、心拍数を測定するかまたはモニターするための心拍数監視センサーである。しかし、一つ以上の生理的パラメーター（例えば心拍数、血圧、呼気量、皮膚伝導率、皮膚湿度など）を測定するセンサーであってもよい。また、ケース１０１４が、バンドタイプのハウジングを備えている場合は、例えばスポーツにおいて使われる腕時計型の監視装置として用いることができる。なお、ケース１０１４の形は、主にユーザー１０００に関して所望の位置でセンサー１０１２を保持することができればよく、任意に電池、処理ユニット、表示、ユーザー・インターフェイスなどのような更なる要素を収納することができてもよい。
【００９１】
従来例の生体情報測定機器は、ユーザーの心拍数をモニターするための心拍数監視装置１０１０である。そして、センサー１０１２は発光素子１１２１および受光素子１１２２から成る光学センサーである。光学センサーを用いた光学的心拍数モニターは、皮膚に光をあてる光源としての発光素子１１２１（通常ＬＥＤが用いられる）に依存する。発光素子１１２１から皮膚に照射された光は、皮膚下の血管を流れる血液によって一部が吸収されるが、残りの光は反射され皮膚を出る。そして、反射された光は、受光素子１１２２（通常フォトダイオードが用いられる）によって、捕捉される。受光素子１１２２からの受光信号は、血管を流れる血液量に相当する情報を含む信号である。血管を流れる血液量は、心臓の脈動によって変化する。そして、このように、受光素子１１２２上の信号は心臓の拍動に対応して変化する。つまり、受光素子１１２２の信号の変化は、心拍数のパルスに相当するものである。そして、単位時間当たりパルス数を計数することによって（例えば１０秒当たり）、心臓が１分間に打つ数（すなわち心拍数）が得られる。
【００９２】
以下、図１２を用いて実施形態３に係る生体情報測定機器としての心拍数監視装置１０２０について説明する。図１２は、実施形態３に係る生体情報測定機器としての心拍数監視装置を示す斜視図である。
【００９３】
実施形態３に係る生体情報測定機器としての心拍数監視装置１０２０は、図１２では図示していないが、前述の実施形態１と同様に、バンドなどの固定手段によって、被験者の腕に装着される。そして、バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【００９４】
実施形態３に係る生体情報測定機器としての心拍数監視装置１０２０は、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケースまたはハウジング（図示せず）を有している。ケースまたはハウジングは、図１１に示されるケース１０１４と類似、あるいは同一でもよいし、上述の実施形態１におけるケース部１０と類似、あるいは同一でもよい。
【００９５】
そして、センサー１０２２は、キャリア（基板）１０２６の一面に担持されている。発光素子１２２１，１２２３から射出された光は、皮膚などに吸収されずに反射され、受光素子１２２２に直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。すなわち、キャリア１０２６と発光素子１２２１，１２２３の上面１２２１ａ，１２２３ａとの間の距離と、キャリア１０２６と受光素子１２２２の上面１２２２ａとの間の距離との差が、Δｈである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３から直接受光素子１２２２に入射する光は、受光素子１２２２の上面１２２２ａに到達することができない。
【００９６】
（実施形態４）
次に、図１３を参照して実施形態４に係る生体情報測定機器としての心拍数監視装置１０３０について説明する。図１３は、実施形態４に係る生体情報測定機器としての心拍数監視装置を示す正面図である。
【００９７】
なお、実施形態４に係る生体情報測定機器としての心拍数監視装置１０３０は、図１３では図示していないが、前述の実施形態１と同様に、バンドなどの固定手段によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【００９８】
図１３に示すように、発光素子１２２１，１２２３および受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁性材料１０３２で埋めるように構成することができる。換言すれば、少なくとも受光素子１２２２の上面１２２２ａ、発光素子１２２１，１２２３の上面１２２１ａ，１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子１２２１，１２２３の上面１２２１ａ，１２２３ａや受光素子１２２２の上面１２２２ａを覆うように構成しても良い。このように構成することで、皮膚と接触する受光素子１２２２の上面１２２２ａや、発光素子１２２１，１２２３の上面１２２１ａ，１２２３ａを保護することができるので、受光素子１２２２の上面１２２２ａや、発光素子１２２１，１２２３の上面１２２１ａ，１２２３ａの損傷を防ぐことができる。この場合、絶縁性材料１０３２は保護膜とみなすこともできる。
【００９９】
本実施形態４に係る生体情報測定機器としての心拍数監視装置１０３０では、一般に可能性がある実施例として、エポキシ樹脂を用いた絶縁性材料１０３２を設けている。図１３においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１００】
このように、絶縁性材料１０３２の配置は、心拍数監視装置１０３０の正しい機能を妨げない程度の最小限で行うことにより、発光素子１２２１，１２２３および受光素子１２２２の電気的接続端子１０３４を保護することで、この心拍数監視装置１０３０は更に改良されることができる。なお、本実施形態４におけるエポキシ樹脂を注入する構成に変えて、図１４に示すような実施形態５に係る生体情報測定機器としての心拍数監視装置１０４０とすることがさらに好適である。
【０１０１】
（実施形態５）
次に、実施形態５に係る生体情報測定機器としての心拍数監視装置１０４０について、図１１を参照して説明する。図１４は、実施形態５に係る生体情報測定機器としての心拍数監視装置を示す斜視図である。
【０１０２】
なお、実施形態５に係る生体情報測定機器としての心拍数監視装置１０４０は、図１４では図示していないが、前述の実施形態１と同様に、バンドなどの固定手段によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１０３】
実施形態５に係る生体情報測定機器としての心拍数監視装置１０４０は、作成されたフレーム１０４１，１０４２，１０４３が配置される。フレーム１０４１，１０４２，１０４３は、発光素子１２２１，１２２３および受光素子１２２２の周囲に配置され、フレーム１０４１，１０４２，１０４３と、発光素子１２２１，１２２３および受光素子１２２２との間の隙間１０３６が形成される。そして、フレーム１０４１，１０４２，１０４３をガイドとして絶縁性材料（図１４では図示されない）が注入され、発光素子１２２１，１２２３および受光素子１２２２の電気的接続端子１０３４を覆う。
【０１０４】
実施形態５に示す例では、発光素子１２２１，１２２３および受光素子１２２２は、個々のフレーム１０４１，１０４２，１０４３によって囲まれる。なお、他の例としては、すべてのフレーム１０４１，１０４２，１０４３は、互いに結合されてもよく、または、すべてのセンサーエレメントは一体のフレームによって囲まれてもよい。
【０１０５】
心拍数監視装置１０４０の機能に影響を及ぼさないための改善点として、発光素子１２２１，１２２３のまわりのフレーム１０４１，１０４３の上部エッジ１０４１ａ，１０４３ａは、好ましくは発光素子１２２１，１２２３の上面１２２１ａ，１２２３ａより低いことが好ましい。換言すれば、個別のフレーム１０４１，１０４３の上部エッジ１０４１ａ，１０４３ａとキャリア１０２６との距離ｈＦＲ−ＬＥＤは、個別のフレーム１０４１，１０４３で囲まれている発光素子１２２１，１２２３の上面１２２１ａ，１２２３ａとキャリア１０２６との距離ｈＬＥＤと、同じか小さい（ｈＦＲ−ＬＥＤ≦ｈＬＥＤ）。
好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．１ｍｍから０．８ｍｍの範囲に設定する。なお、さらに好ましくは、発光素子１２２１，１２２３の上面１２２１ａ，１２２３ａとキャリア１０２６との距離ｈＬＥＤと、フレーム１０４１，１０４３の上部エッジ１０４１ａ，１０４３ａとキャリア１０２６との距離ｈＦＲ−ＬＥＤとの差は、０．２ｍｍから０．５ｍｍの範囲に設定する。
【０１０６】
また、受光素子１２２２のまわりのフレーム（レシーバーフレーム）１０４２の上部エッジ１０４２ａは、好ましくは受光素子１２２２の上面１２２２ａより高いことが好ましい。換言すれば、フレーム１０４２の上部エッジ１０４２ａとキャリア１０２６との距離ｈＦＲ−ＰＤは、フレーム１０４２で囲まれている受光素子１２２２の上面１２２２ａとキャリア１０２６との距離ｈＰＤより大きい（ｈＦＲ−ＰＤ＞ｈＰＤ）。
好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０ｍｍから０．５ｍｍの範囲に設定する。なお、さらに好ましくは、受光素子１２２２の上面１２２２ａとキャリア１０２６との距離ｈＰＤと、フレーム１０４２の上部エッジ１０４２ａとキャリア１０２６との距離ｈＦＲ−ＰＤの差は、０．１ｍｍから０．２ｍｍの範囲に設定する。
さらに、フレーム１０４２の上部エッジ１０４２ａとキャリア１０２６との距離ｈＦＲ−ＰＤは、発光素子１２２１，１２２３の上面１２２１ａ，１２２３ａとキャリア１０２６との距離ｈＬＥＤよりも大きい（ｈＦＲ−ＰＤ＞ｈＬＥＤ）。
【０１０７】
なお、例えば、受光素子１２２２および発光素子１２２１，１２２３が間近である場合、受光素子１２２２と発光素子１２２１，１２２３との間に、１枚のフレーム壁だけが存在する構成であってもよい。これは、製造容易性の理由で発生する場合がある。その１枚のフレーム壁がケースである場合、受光素子１２２２および発光素子１２２１，１２２３で両方のフレームのフレーム壁は一致する。これは、発光素子１２２１，１２２３のフレーム壁がより高くなることを意味する、詳述すると、発光素子１２２１，１２２３を囲むフレーム１０４１，１０４３の内の、受光素子１２２２がある側のフレーム壁が高くなり、他のフレーム壁は発光素子１２２１，１２２３の上面１２２１ａ，１２２３ａより低くなる。
さらに、フレーム１０４１，１０４２，１０４３に代えて、受光素子１２２２と発光素子１２２１、あるいは発光素子１２２３との間に第１の壁部を設け、発光素子１２２１，１２２３の外側、つまり受光素子１２２２に対して第１の壁部とは反対側に第２の壁部を設けるように構成しても良い。
このように構成した場合、キャリア１０２６と第１の壁部の上面との距離は、キャリア１０２６と第２の壁部の上面との距離よりも大きくなるように構成しても良い。このように構成することで、図１４のように発光素子や受光素子を囲うように構成した場合に比べ、より少ない部材でフレームの機能を実現することができる。
【０１０８】
なお、本実施形態５のようにフレーム１０４１，１０４３やフレーム１０４２を用いることにより、注入されるエポキシ樹脂などの絶縁性材料が流れ出すことを防ぐことができる。またこのように、追加構造を作成してエポキシ樹脂などの絶縁性材料を区切ることは、高い量産性を可能にするオプションである。なお、フレーム１０４１，１０４３やフレーム１０４２は、キャリア１０２６と同じ材料によって構成されても良い。例えばエポキシ系樹脂やポリカーボネイト系樹脂を用いて射出成型でフレームが形成されても良い。
【０１０９】
前述したように、絶縁性材料１０３２（図１３参照）は、センサーエレメント（発光素子１２２１，１２２３および受光素子１２２２）の電気的接続端子１０３４を保護する。しかしながら、これらの電気的接続端子１０３４は他の要素である追加電子機器（例えばドライバー、検出エレクトロニクス、プロセッサーまたは電源）と、さらに接触しなければならない。そして、キャリア１０２６（プリント基板（ＰＣＢ）でもよい）に、これらの追加電子機器とのなんらかの電気接続があることを意味する。
【０１１０】
（実施形態６）
図１５を参照して、実施形態６に係る生体情報測定機器としての心拍数監視装置１０５０を説明する。図１５は、実施形態６に係る生体情報測定機器としての心拍数監視装置を示す断面図である。
【０１１１】
なお、実施形態６に係る生体情報測定機器としての心拍数監視装置１０５０は、図１５では図示していないが、前述の実施形態１と同様に、バンドなどの固定手段によって、被験者の腕に装着される。そして。バンドの内側（被験者の腕側の面）には、上述の実施形態１と同様な溝部が設けられており、設けられた溝部によって皮膚と外部との通気性をよくすることにより被験者の汗や付着した水分を外部に逃がすことができ、水滴の滞留による被験者の不快感を低減することができる。なお、溝部の構成については、実施形態１と同様であるので、ここでの説明を省略する。
【０１１２】
実施形態６に係る生体情報測定機器としての心拍数監視装置１０５０は、前述した追加電子機器（例えばプロセッサー１０５２およびドライバー１０５４）を備えている。外部電気接続端子（図示せず）は、センサーエレメント（発光素子１２２１および受光素子１２２２）と同じキャリア１０２６に配置されない。つまり、追加電子機器は、センサーエレメントとは別のキャリアあるいは基板に配置されている。このように構成することで、皮膚とセンサーエレメント（発光素子１２２１および受光素子１２２２）との良好な接触を維持しつつ、必要な追加電子機器を心拍数監視装置１０５０に搭載することができる。例えば、外部電気接続端子は、キャリア１０２６の側面に配置されることができる。
【０１１３】
上述したように、異なる種類のセンサーが、本発明に係る生体情報測定機器において用いられることが可能である。例えば、上述の受光素子１２２２が電気センサーである場合は、ユーザーの皮膚に接触して、ユーザーの伝導率を測定するための２本の皮膚コンダクタンス電極（例えば、センサーエレメント（図１５に示される発光素子１２２１、受光素子１２２２））は、皮膚でおおわれる。なお、さらなる、二つ以上の種類のセンサーが、この種の生体情報測定機器において、用いられることが可能である、さらに、センサーエレメントの数は問わない。
【０１１４】
実施形態３〜６において、提唱される生理的パラメーターを測定する生体情報測定機器を製造する方法のフローチャートは、図１６において示される。
第１ステップＳ１において、センサー信号を検出するための少なくとも二つのセンサーエレメント（発光素子１２２１および受光素子１２２２）から成るセンサー１０２２は、キャリア１０２６上に配置される。第２ステップＳ２において、上記センサーエレメントの電気的接触をキャリア１０２６に形成する。第３ステップＳ３において、一つ以上のフレーム１０４１，１０４２は、センサー１０２２および／または個々のセンサーエレメント（発光素子１２２１および受光素子１２２２）周辺で、キャリア１０２６の上に形成される。第４ステップＳ４において、キャリア１０２６に備えられているセンサーエレメント（発光素子１２２１および受光素子１２２２）の上面１２２１ａ，１２２２ａを覆わない、それぞれのフレーム１０４１，１０４２によって囲まれる領域に絶縁性材料１０３２が注入され満たされる。
【０１１５】
上記実施形態３〜６によれば、生体情報測定機器の性能に負の影響を及ぼすことのない電気的接触の保護を成し遂げる方法が提案される。そして、センサーの性能を保つような方法で形成される。例えば、これらのフレーム１０４１，１０４３の少なくとも一つは、皮膚全体のセンサーの位置がシフトすることを防ぐ。さらに、これらのフレーム１０４１，１０４３の少なくとも一つは、射出された直射的な光が受光素子１２２２に入力するのを防止するのに役立つことができる。好ましくは、受光素子１２２２の向きになっている側の、発光素子１２２１，１２２３のまわりのフレーム１０４１，１０４３の高さは、発光素子１２２１，１２２３の上面１２２１ａ，１２２３ａの高さより小さくなければならない。加えて、受光素子１２２２のまわりのフレーム１０４２は、受光素子１２２２の上面１２２２ａより高くてもよい。
【０１１６】
以上、発明者によってなされた本発明の実施の形態について具体的に説明したが、本発明は上記した実施の形態に限定されるものではなく、その要旨を逸脱しない範囲で種々の変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報検出装置の構成、動作も本実施形態で説明したものに限定されず、種々の変形実施が可能である。
【符号の説明】
【０１１７】
１…生体情報測定装置、５…光電脈波センサー部、１０…ケース部、１０ａ…上面、１０ｂ…底面、１１…側部、１２…端部、１３…生体情報測定部としての窓部、１４…発光部、１６…カバー部、２０…バンド部、２１…本体部、２１ｂ…穴部、２２…第１バンド、２３…先端部、２４…第２バンド、２５…先端部、２６…装着穴、２７…接続部、３０…バックル部、３１…美錠、３２…つく棒、３３…遊革、５０，５０Ａ，５０Ｂ，１５０，１５０Ａ…装着体、５１，１５１，１５１Ａ…本体部、５１ａ，１５１ａ…第１面、５１ｂ，１５１ｂ…第２面、５１ｃ…一端側、５１ｄ…他端側、５２，１５２…第１開口部、５３，１５３…第２開口部、５５…固定手段、５９…領域、１５０Ｔ…空間部、１５１Ｔａ…第１の空間部、１５１Ｔｂ…第２の空間部。
【図１】
2017104252.tif 000003
【図２】
2017104252.tif 000004
【図３】
2017104252.tif 000005
【図４】
2017104252.tif 000006
【図５】
2017104252.tif 000007
【図６】
2017104252.tif 000008
【図７】
2017104252.tif 000009
【図８】
2017104252.tif 000010
【図９】
2017104252.tif 000011
【図１０】
2017104252.tif 000012
【図１１】
2017104252.tif 000013
【図１２】
2017104252.tif 000014
【図１３】
2017104252.tif 000015
【図１４】
2017104252.tif 000016
【図１５】
2017104252.tif 000017
【図１６】
2017104252.tif 000018
【図１７】
2017104252.tif 000019